(57)【特許請求の範囲】
【請求項１】
５００ｎｍ〜５５０ｎｍの波長の緑色単色光を有するＬＥＤに於いて当該緑色単色光ＬＥＤの波長の範囲にて、異なる最大ピークの波長を有する当該緑色単色光ＬＥＤの２種類以上の複数の最大ピークを有する緑色波長の当該緑色ＬＥＤを置き並べ設置、配置した緑色光ＬＥＤの複合波形を有する当該ＬＥＤ防蛾装置。
【請求項２】
５００ｎｍ〜５５０ｎｍの波長の緑色単色光を有するＬＥＤに於いて当該緑色単色光ＬＥＤの波長の範囲にて、異なる最大ピークの波長を有する当該緑色単色光ＬＥＤの２種類以上の複数の最大ピークを有する緑色波長の当該緑色ＬＥＤを置き並べ設置、配置した当該ＬＥＤに５７０ｎｍ〜６１０ｎｍの波長の黄色光を有するＬＥＤを置き並べ設置、配置したＬＥＤの複合波形を有する当該ＬＥＤ防蛾装置。
【請求項３】
請求項２記載の黄色光を有するＬＥＤは、請求項２記載の緑色光の複合波形を有する当該ＬＥＤ緑色光の５％を保持した、黄色光を有するＬＥＤを置き並べ設置、配置したＬＥＤの複合波形を有する当該ＬＥＤ防蛾装置。
【請求項４】
請求項２記載の黄色光を有するＬＥＤは、調光を可能にした黄色光を有するＬＥＤを置き並べ設置、配置した当該ＬＥＤの複合波形を有する当該ＬＥＤ防蛾装置。
【発明の詳細な説明】
【技術分野】
【０００１】本発明は、植物の葉体に夜間、暗黒時にＬＥＤ緑色光複合光線を照射しうる装置にて、花芽形成による影響を少にし、ＬＥＤ緑色光複合光線利用の防蛾装置に関する。
【背景技術】
【０００２】夜蛾は、夜行性のために、周囲が暗くなる夜間に活動するが、廻りが明るくなると活動を停止する、夜蛾の複眼を明適応化させることにより、吸汁、交尾、産卵等の活動を抑制させる事は、周知のことである、又緑色蛍光灯の緑色光線利用の防蛾装置においても、緑色蛍光灯の緑色光の防蛾効果による防蛾効果が周知のことである。
緑色蛍光灯自体の熱や、電気消費量に影響をもたらしている。
植物の短日性植物や、長日性植物の特性に合わせて、緑色蛍光灯の緑色光線による波長領域のみにて、防蛾方法の処理技術には難点が多い。
しかるに、緑色ＬＥＤの単色の波長を複合の波長の光線に変えて、緑色ＬＥＤの直線形の波長に変化を与えて、植物に合わせた特性の波長の必要性から生まれた技術に関する。
【発明が解決しようとする課題】
【０００３】緑色蛍光灯の波長や光量による利点を有する効果よりも、より良く照度を高め、且つ防蛾効果多く引き出すことが出来るＬＥＤ複合光線利用の防蛾装置を発明する。
且つ、当該ＬＥＤにて、緑色ＬＥＤ、花芽形成による影響を少にし、ＬＥＤ複合光線利用の防蛾装置に関する。
【課題を解決するための手段】
【０００４】特願２０１３−２５９５８１
特願２０１４−４９４１３
【０００５】パナソニック電工株式会社の平成２１年６月発行のカタログ
パナソニック電工株式会社の平成２０年１０月発行のカタログ
【０００６】上記記載の「［０００４］」文献にて光線利用にてＬＥＤ緑色の複合光が明記されている。
上記記載の「［０００５］」の資料には、波長の領域が明記されている。
【０００７】本発明によれば、当該ＬＥＤの緑色光線を利用しうる防蛾装置にて夜間、又は暗黒時に照射し、害虫たる防蛾を防除できる、当該緑色ＬＥＤ複合光線利用の防蛾装置。
【０００８】植物の葉体内に、夜間又は、暗黒時に長期間に花芽形成を生じる状態になると、安定した植物育成に大きな影響をもたらす悪条件になる。
上記記載の悪条件を解決するため植物の葉体内に夜間又は、暗黒時に長時間当該植物を照射可能にし、安定した植物育成のもとにおいての防蛾装置の利用方法。
すなわち、花芽形成による影響の少なる、当該緑色ＬＥＤ複合光線利用の防蛾装置。
【０００９】花芽形成に影響を与える光線色とは、ＬＥＤの光線すなわち赤色光線の光線色の事である。
「［０００５］」
パナソニック電工株式会社の平成２１年６月発行のカタログ
パナソニック電工株式会社の平成２０年１０月発行のカタログ
記載にて表示の如く赤色の波長領域を花芽形成の領域を表示している。
【０００１０】パナソニック株式会社  エコソリューションズ社  マーケテイング本部  都市環境商品営業企画部  カタログ２０１２年４月
【００１１】「［００１０］」記載表示にて、赤色光成分をほとんど含まず、５００〜６００ｎｍを主波長とした、緑色蛍光灯を利用した、防蛾灯を表示してある。
【００１２】当防蛾灯は、緑色ＬＥＤであり、５００ｎｍ〜５５０ｎｍの緑色光の波長の範囲内である、ＬＥＤ緑色光の複合波長のＬＥＤ複合光線利用の防蛾装置である。
【００１３】以下記載の「［００１４］」表３、「［００１５］」表４、「［００１６］」表５  「［００１７］」表６基づき詳細説明をする。
【００１４】
【表３】
0006711484.tif 000002
【００１５】
【表４】
0006711484.tif 000003
【００１６】
【表５】
0006711484.tif 000004
【００１７】
【表６】
0006711484.tif 000005
【００１８】
【表７】
0006711484.tif 000006
【００１９】且つ５００ｎｍ〜５５０ｎｍの緑色光の波長緑色光のＬＥＤの５１１ｎｍのピーク波長λＰを有する当該ＬＥＤと５００ｎｍ〜５５０ｎｍの緑色光の波長の範囲である、「［００１４］」の表３表示の単色光である。
【００２０】緑色光のＬＥＤの５１８ｎｍのピーク波長λＰを有する当該ＬＥＤと５００ｎｍ〜５５０ｎｍの緑色光の波長の範囲である、「［００１５］」の表４表示の単色光である。
【００２１】緑色光のＬＥＤの５５３０ｎｍのピーク波長λＰを有する当該ＬＥＤと５００ｎｍ〜５５０ｎｍの緑色光の波長の範囲である、「［００１６］」の表５表示の単色光である。
【００２２】緑色光のＬＥＤの５１１ｎｍのピーク波長λＰを有する当該ＬＥＤ「［００１４］」表３表示の波長と緑色光のＬＥＤの５３０ｎｍのピーク波長λＰを有する当該ＬＥＤ［００１６］表５表示の波長とを、置き並べ設置配置し、「［００１７］」表６表示のＬＥＤ緑色光複合光、の防蛾灯の装置を構築した。
【００２３】緑色光のＬＥＤの５１１ｎｍのピーク波長λＰを有する当該ＬＥＤ「［００１４］」表３表示の波長と緑色光のＬＥＤの５１８ｎｍのピーク波長λＰを有する当該ＬＥＤ「［００１５］」表４表示の波長と緑色光のＬＥＤの５３０ｎｍのピーク波長λＰを有する当該ＬＥＤ「［００１６］」表５、とを置き並べ設置配置し、「［００１８］」表７表示のＬＥＤ緑色光複合光の防蛾灯の装置を構築した。
【００２４】次に防蛾灯として緑色蛍光灯を考察する。
【００２５】緑色蛍光灯の防蛾灯の波形を「［００２５］」表８に表示する。
【表８】
0006711484.tif 000007
【００２６】ＬＥＤの緑色の複合光を構築する。
緑色蛍光灯の防蛾灯の波形の「［００２５］」表８の波形を考察すると、Ｌ０の波長の位置、黄色光の波長域を有している、しかし、「［００１７］」表６にてのＬＥＤの複合した  緑色の波長域には黄色の波長は、存在しない。
【００２７】しかるに、「［００１７］」表６にてのＬＥＤの複合した、緑色の波長域に防蛾灯の緑色蛍光灯に近い波長を構築させる。
【００２８】  緑色光のＬＥＤの５１１ｎｍのピーク波長λＰを有する当該ＬＥＤ「［００１４］」表３表示の波長と緑色光のＬＥＤの５３０ｎｍのピーク波長λＰを有する当該ＬＥＤ「［００１６］」表５表示の波長とを、置き並べ設置配置し、「［００１７］」表６表示の複合光を構築した当該ＬＥＤの構築した複合光の５％の黄色光のＬＥＤを置き並べ設置配置し、「［００２９］」表９の波長の緑色光の複合光防蛾装置を構築した。
【００２９】
【表９】
0006711484.tif 000008
【００３０】「［００２９］」記載の表９のＬ０の波長の領域黄色の波長が存在出来た。
しかるに、緑色の蛍光灯の防蛾灯に近い波形のＬＥＤ緑色光複合光の防蛾灯を構築出来た。